(57)【特許請求の範囲】
【請求項１】
台部分15と、輪郭部分13と、エーロゾル容器のビードを受入れこのビードに対して密封するすそ部分15に終る本体部分14とを供え、前記輪郭部分13の一端部を、前記台部分15に接合し、前記輪郭部分13の他端部を前記本体部分14に接合して成る、圧力充てんシステムに使用するための改良された取付けカップにおいて、前記輪郭部分13に環状の「Ｓ」字状部分18を形成し、この「Ｓ」字状部分18に、前記本体部分14に隣接する隣接部分19と、前記本体部分14に対し遠い方の末端部分20とを設け、前記本体部分14に隣接する前記「Ｓ」字状部分18の前記隣接部分19を、直立した前記本体部分14に合体し、前記本体部分14に対し遠い方の前記「Ｓ」字状部分の末端部分20を、前記輪郭部分13の一定傾斜部分21に合体し、前記本体部分14に合体する前記隣接部分19を、前記本体部分14に対し遠い方の末端部分20よりも大きい距離を前記本体部分14の頂部から隔てて位置させることにより、前記本体部分に隣接する前記「Ｓ」字状部分にパネル深さを生じさせるようにして成る、改良された取付けカップ。
【請求項２】
前記取付けカップが、金属質組成を持つ特許請求の範囲第１項記載の改良された取付けカップ。
【請求項３】
前記取付けカップの金属質組成を、鋼、アルミニウム、積層プラスチックを持つ鋼、又は積層プラスチックを持つアルミニウムから成る群から選定した特許請求の範囲第２項記載の改良された取付けカップ。
【請求項４】
前記「Ｓ」字状部分以外の前記輪郭部分を、前記本体部分に対し遠い方の「Ｓ」字状部分の終端部から前記台部分までの上向きの円すい形に形成した特許請求の範囲第１項記載の改良された取付けカップ。
【請求項５】
前記取付けカップが、金属質組成を持つ特許請求の範囲第４項記載の取付けカップ。
【請求項６】
前記取付けカップの金属質組成を鋼、アルミニウム、プラスチック積層鋼又はプラスチック積層アルミニウムから成る群から選定した特許請求の範囲第４項記載の取付けカップ。
【請求項７】
前記パネル深さを約0.015インチないし0.040インチにした特許請求の範囲第３項記載の改良された取付けカップ。
【請求項８】
前記パネル深さを約0.030インチにした特許請求の範囲第２項記載の改良された取付けカップ。
【請求項９】
前記パネル深さを約0.030インチとし、前記取付けカップの組成が鋼であり、この鋼の厚さを約0.010ないし0.011インチとした特許請求の範囲第２項記載の改良された取付けカップ。
【請求項１０】
前記取付けカップの輪郭部分の上向きの円すい形の部分の傾斜が、前記取付けカップの水平軸線から約20゜である特許請求の範囲第４項記載の改良された取付けカップ。
【請求項１１】
前記パネル深さを約0.030インチにした特許請求の範囲第10項記載の改良された取付けカップ。
【発明の詳細な説明】
技術分野
本発明は、一般にふた台部分に弁を固着したエーロゾル取付けカップふた、ことにエーロゾル容器用の改良された取付けカップふた（mounting cup closure）に関する。
背景技術
エーロゾル容器に推進剤を充てんする際には一般に２通りの方式が使われる。一方の方式では推進剤は、容器のビードと弁支持取付けカップふたの下側との間に推進剤を圧力のもとに通すことにより容器内に導入する。この方式は一般に「キャップ下側」充てんと呼ばれる。単一の操作でカップを持上げカップ及び容器ビードの間に充てん空間を生成し、引続いて、推進剤を入れた後取付けカップを容器ビードにクリンプして密封する。第２の方式では弁支持取付けカップは、推進剤の導入に先だって容器ビードにクリンプして密封し、次いで弁を経て同時にこの弁のまわりに推進剤を取付けカップのすそ部分の下側と弁棒オリフィスをふさぐガスケットの上面との間に通すことにより推進剤を容器に導入する。この第２の方式は一般に「圧力充てん」と呼ばれる。
エーロゾル容器に圧力充てんする際には、推進剤充てんヘッドを取付けカップの台部分に向かい密封位置に前進させる。台の上面に密封部分を生成し取付けカップに対する力とこれと同時の台・充てんヘッド密封破断とに耐えるようにするには、前進する充てんヘッドにより生ずる力に対し適当な相殺力を加えなければならない。充てんヘッドを開くように、取付けカップに加える応力には充てんヘッド・台を密封状態に保つように抵抗を加えなければならない。この密封部が開くと、望ましいことではないが推進剤が容器の外部に流れる。
取付けカップ及び充てんヘッドの間の密封が充てん中に開くと、推進剤の望ましくない損耗によって経済的に不利になるのは明らかである。密封の破れることに基づくその他の経済的損失も明らかであり、すなわち弁の破損と分与しようとする製品を入れる容器を充てん管路から除く必要とによって経済的損失が生ずる。エーロゾル取付けカップふたに対する極めて大きい市場と弁付き取付けカップの競争に十分耐える価格とによって、取付けカップをできるだけ経済的に作ることが大切であり、前記の多くの経済的損失は望ましくない。
弁取付けカップの製造原価のかなりの部分は取付けカップの金属材料である。当業者には明らかなように各取付けカップの金属量のわずかな節約によって、毎年無数の取付けカップが生産されるのでエーロゾル弁製造費の節約額が著しく大きくなる。従って充てんヘッドにより加えられる力に対し取付けカップの強度を保ちながら取付けカップの金属材の厚さを減少できることは経済的に重要である。これとは逆に同じ厚さの金属材を使い強度の増すことは又一層早い充てん速度の得られる見地から極めて重要である。
エーロゾル容器を閉じるのに従来使われているエーロゾル取付けカップ、いわゆる１インチ取付けカップの構成は、エーロゾル弁の弁棒を受入れる中心穴を持つ突出した中央部分すなわち台部分と、この台部分から半径方向に延びる輪郭（profile）部分と、この輪郭部分の外端から上方に延びる本体部分と、この本体部分から延び取付けカップを受けて容器のビードに固定するすそ部分とから成っている。
本発明は、従来の取付けカップの輪郭部分の形状の変型に係わる。
従来の取付けカップの最も一般的な形状では、取付けカップの輪郭部分は、この輪郭部分が本体部分に隣接する輪郭部分から台部分に隣接する輪郭部分に延びるので実質的に連続した円すい形輪郭角度を持つ。他の従来の取付けカップでは、輪郭部分は上向きにわずかに湾曲した表面を持つ輪郭形状を備えている。なお別の従来のカップでは、輪郭部分は実質的に扁平であり又はこのカップの水平軸線に平行である。従来の取付けカップでは、輪郭形状は、本体輪郭接合部で同様な曲率半径すなわち取付けカップの本体部分及び輪郭部分の接合部の半径を持つ。充てんヘッドの下向き運動により生ずる力が集中するのはこの区域である。
従来の輪郭部分の形状は、エーロゾル容器に圧力充てん方式で推進剤を充てんする間に充てんヘッドの力に耐える最良の輪郭形状にはならないことが分かった。従ってこの圧力充てん中に密封が破れてしまう。さらに充てんヘッドの前進力に取付けカップが耐えることができないので製造業者は、金属材厚さを減らし同時に経済効果を生じようとする試みに成功していない。
発明の開示
本発明によれば、普通のエーロゾル缶を閉じるのに使う普通の形式の取付けカップ、いわゆる１インチ取付けカップは、取付けカップ本体部分に隣接する取付けカップ輪郭部分の末端部を「Ｓ」字状の部分に形成することにより強化する。「Ｓ」字状は、本体部分に対する半径（以下又図面中で半径R1と称する）の接点と本体部分に対し遠い方の輪郭部分の下側に対する半径（以下半径R2と称する）の接点との間にある取付けカップ輪郭部分の部分である。前記した「Ｓ」字状部分は、取付けカップの本体部分から遠い方の「Ｓ」字状部分の区間の上面に対する接線が取付けカップの上下方向軸線に平行な上下方向線に対し従来の構成より実質的に減少した角度（角度Ａ）をなすように形成する。すなわち「Ｓ」字状部分の前記した遠い方の部分に対する接線と取付けカップの上下方向軸線に平行な線とのなす角度は、本発明の構成では前記した従来の場合におけるよりも小さい。角度Ａの減小は、本体部分に隣接する「Ｓ」字状部分の区間の深さ（以下パネル深さと称する）を増すことによって得られる。さらに輪郭部分の「Ｓ」字状部分の半径方向内方部分に接合する輪郭部分の区分が上下方向になるほど、取付けカップの強度がそれだけ高くなる。
しかし台部分直径の寸法により前記した角度Ａ及び角度Ｂの値を変えることには固有の制限があるのはもちろんである。たとえば互いにことなる１インチ取付けカップでは、台の外径と本体の内径との間の距離は変えてもよく、さらに取付けカップの底部と台部分の底部との間の距離は変えてもよい。これ等の変更は、適応できる角度Ａ及び角度Ｂの大きさを制限する。
一般にカップの底部と台の底部との間の距離が台部分の外径と本体部分の内径との間の距離に近づくか又はこれを越えるに伴い、角度Ａ及び角度Ｂは共に垂直に一層近づく。要するに又後述の限度内で接線が「Ｓ」字状部分の遠い方の部分に対する接線が取付けカップの本体部分に平行な線に平行に近づくほど、前進する充てんヘッドにより加わる力に抵抗する取付けカップの強度が高くなる。
なお本発明の別の項目は次の通りである。
１、臨界応力の位置は取付けカップの本体部分と取付けカップの輪郭部分とにより形成した曲率半径部にある。この位置は第４図に星印で示してある。
２、本体内径と台の側壁の外径との間の距離が短いほど、充てんヘッドの前進中の取付けカップの変形に対する抵抗がそれだけ強くなる。しかし台部分の直立壁と本体部分の直立壁との間の距離は、取付けカップを容器のビードに締付ける工具を本体部分及び台部分間の空間に入れることができないほど狭められないのはもちろんである。又「Ｓ」字状を本体部分から一層遠く配置すると、本体部分に対し遠い方の「Ｓ」字状の部分が上下方向から取付けカップの水平軸線に向かい移動して「Ｓ」字状の遠い方の部分に対する接線を直立の本体部分に平行な線に対しできるだけ平行にするという要求に対し作用する傾斜を持つようにする。
３、本体部分に隣接して「Ｓ」字状部分を生成し定めるパネル深さを増すことにより前進充てんヘッドによって台に加わる下向きの力により取付けカップの変形に対する抵抗を高めるには限度がある。与えれれた厚さを持つ構造の与えれれた材料に対し、最適のパネル深さを越えると、取付けカップの水平軸線に対し第４図に示した角度Ｂを減らすことにより、カップ輪郭を扁平にしカップ構造を弱める。
本発明の特定の利点は、既存の取付けカップの形状及び寸法の基本的変更を行うと共に充てんヘッドの構造又は形状の実質的な変更を避けることを必要としないで従来のエーロゾル取付けカップに応用できることである。
従って本発明の目的は、推進剤充てん中に前進する充てんヘッドが受ける力により生ずる変形に対する抵抗の向上したエーロゾル容器に推進剤を注入する圧力充てんシステムに使うエーロゾル取付けカップを提供することにある。本発明取付けカップのその他の目的及び利点は、本発明の説明を調べることにより当業者には明らかである。
本発明のなお別の目的及び利点は、取付けカップに一層薄いゲージ厚さの金属を使用できる取付けカップ構造を提供することにある。
【図面の簡単な説明】
第１図及び第２図は従来の取付けカップの若干の例の横断面図である。
第３図は本発明取付けカップの横断面図である。
第４図は第３図の丸で囲んだ部分の拡大横断面図である。
第５図は本発明取付けカップの「Ｓ」字状を形成するのに使うめす形仕上げ型の横断面図である。
第６図は第５図の仕上げ型の丸で囲んだ部分の拡大横断面図である。
第７図は第６図の仕上げ型用のおす形押抜き具の側面図である。
実施例の説明
第１図には中心穴12を持つ台部分11と、台部分11から半径方向に出る輪郭部分（profile portion）13と、すそ部分15に終る本体部分14とを持つ従来の取付けカップ10を示してある。すそ部分15は、１インチ穴（図示してない）を持つ従来のエーロゾル容器のビード（図示してない）を受入れるように形成してある。この取付けカップ構造では区域16は臨界応力の帯域である。
第２図も又、この第２図では傾斜が一層ドーム状に近い第１図の輪郭部分の傾斜とは異なって輪郭部分の全長にわたり輪郭部分の傾斜が一層同じに近いことを除いて、第１図の場合のような対応する部品を持つ従来の取付けカップ構造である。
第３図では取付けカップの構造の各部品は第１図及び第２図の場合と同様に表示してある。第３図と第４図の拡大図とに示すように本体部分14に隣接する取付けカップ10の輪郭部分13の終端部は「Ｓ」字状部分18を持つ。この「Ｓ」字状部分18は、本体部分14に合体する部分19と輪郭部分13の一定傾斜部分21に合体する本体部分14に対し遠い方の部分20とを持つ。
パネル深さとは、本体部分に合体する隣接部分19の深さであり、取付けカップのパネルの厚さではない。
試験によって、応力の臨界的集中は第３図ないし第４図に単一の星印で示した半径部にあることが分った。又0.010ないし0.011インチの厚さを持つ鋼製取付けカップでは0.015ないし0.040インチのパネル深さを持つ「Ｓ」字状部分を形成することにより、前進する充てんヘッドの力に対する抵抗の向上することが分った。
次の表Ｉに示すように変形に対する抵抗の著しい向上は接線／上下方向軸線の狭角（角度Ａ）が約30゜である0.030インチのパネル深さで得られた。角度Ｂは約20゜である。表Ｉの取付けカップの厚さは0.010インチないし0.011インチであり、取付けカップ組成は鋼製である。
0003551322.tif 000002
又パネル深さ及び角度Ａ及びＢにより定めた「Ｓ」字状部分の最適の形状は、金属材の厚さと、取付けカップの任意の被覆の性質と、金属材の性質と、取付けカップ本体部分の内径及び取付けカップ台部分の外径間の距離とによって変るのはもちろんである。
本発明取付けカップを形成する方法は、金属成形又はエーロゾル取付けカップ製造に詳しい技術者には明らかである。
第５図は本発明取付けカップで0.030インチのパネル深さを形成するのに使う仕上げ型の図である。第７図は第５図及び第６図に示した型に組合うおす形押抜き具である。
本発明取付けカップの組成は、鋼、アルミニウム、プラスチック材、又は積層金属、プラスチック材やその他の成形用材料を含む他の構造的に成形できる材料でよいのはもちろんである。取付けカップを約0.016インチの厚さのアルミニウムでパネル深さを0.030インチに形成したときに頂部荷重による変形に対する改良をデータごとに示している。又試験では、0.010インチないし0.011インチの厚さを持ちプラスチック材を積層した鋼材が表Ｉに記載した0.030インチのパネル深さに対し匹敵する結果を生じたことを示している。
本発明はなおその精神を逸脱しないで種種の変化変型を行うことができるのはもちろんである。
【図１】
0003551322.tif 000003
【図２】
0003551322.tif 000004
【図３】
0003551322.tif 000005
【図４】
0003551322.tif 000006
【図５】
0003551322.tif 000007
【図６】
0003551322.tif 000008
【図７】
0003551322.tif 000009